(57)【要約】【課題】未排出の賞球数データの記憶管理が信頼性高く実現され、その記憶値に基づく賞球排出の正常性の確認が容易であるとともに、より高速な賞球排出が可能な遊技機を提供する。【解決手段】未排出の賞球数のデータそのものを、コンデンサ１５６により停電時も電源供給される遊技制御装置１００のＲＡＭ１１３及び排出制御装置２００のＲＡＭ２１３の両方に記憶し、入賞により賞球数が発生した場合には、その分を毎回両方に加算し、賞球排出が検出される度に、その分を両方のＲＡＭから減算する。【選択図】図１
2008259894.tif 000002
【特許請求の範囲】
【請求項１】
遊技盤に設けられる入賞口へ遊技球が入賞することに関連して遊技の進行を管理制御する遊技制御装置と、遊技球を少なくとも賞球として排出するための球払出手段と、この球払出手段の動作を制御する排出制御装置と、を備える遊技機において、
遊技盤に設けられる入賞口への入賞球を検出する入賞球検出手段と、
前記入賞球検出手段の検出結果に基づいて排出される賞球を検出する賞球検出手段と、を設け、
前記遊技制御装置を構成するＣＰＵを含む各素子の動作に必要な電源を供給するロジック電源回路と、
電源電圧が所定電圧まで低下したことを停電として検出する機能を有し、停電を検出すると、前記遊技制御装置に停電検出信号を出力し、前記電源電圧が前記ＣＰＵが正常に動作できる値より降下する前に、前記ＣＰＵに強制的にリセット信号を入力して前記ＣＰＵの動作を停止させる停電検出回路と、
停電時にバックアップ電源を供給可能なバックアップ電源手段と、
を備え、
前記遊技制御装置は、
前記入賞球検出手段により検出された入賞に基づいて賞球数情報を決定し、該賞球数情報を払出要求値として記憶する払出要求値記憶手段と、
この賞球数情報を前記排出制御装置に対して送信する賞球数情報送信手段と、
前記賞球検出手段が賞球を検出する毎に、この検出された賞球数に対応する賞球数情報を前記払出要求値記憶手段から減算する払出要求値減算手段とを備える構成とし、
前記バックアップ電源手段は、
停電時に、前記払出要求値記憶手段の記憶内容が保持されるべく、前記払出要求値記憶手段にバックアップ電源を供給可能であることを特徴とする遊技機。
【請求項２】
前記排出制御装置と遊技制御装置は双方向通信が可能な構成であることを特徴とする請求項１に記載の遊技機。
【請求項３】
前記遊技制御装置から外部の管理装置に各種信号を出力する遊技盤用外部出力端子を備え、
前記遊技盤用外部出力端子は、賞球の排出数の情報を前記管理装置に送信することを特徴とする請求項１又は２に記載の遊技機。
【請求項４】
前記賞球検出手段の検出出力を前記排出制御装置に入力させ、
前記排出制御装置が、
前記遊技制御装置から受信した賞球数情報を払出実行値として記憶する払出実行値記憶手段と、
前記遊技制御装置から賞球数情報を受信する毎に、受信した賞球数情報を前記払出実行値記憶手段に加算する払出実行値加算手段と、
前記払出実行値記憶手段に賞球数情報が存在する場合に、前記球払出手段の最大排出球数以下でかつ前記払出実行値記憶手段の記憶値以下という条件における最大値を払出目標値として設定し、前記払出目標値分だけの賞球の排出が行われるように、前記球払出手段の動作を制御する払出実行制御手段と、
前記賞球検出手段が賞球を検出する毎に、この検出された賞球数に対応する賞球数情報を前記払出実行値記憶手段から減算する払出実行値減算手段と、を備えることを特徴とする請求項１乃至３の何れかに記載の遊技機。
【発明の詳細な説明】
【技術分野】
【０００１】
本発明は、遊技機（例えば、パチンコ機）に係わり、未排出の賞球数データの記憶管理が信頼性高く実現され、その記憶値に基づく賞球排出の正常性の確認が容易な遊技機に関する。
【背景技術】
【０００２】
従来の一般的なパチンコ機は、遊技盤面における遊技の進行を制御する遊技制御装置から送信された賞球数情報に基づいて、別途構成（基板が別に構成されているという意味）された排出制御装置が球排出機構（例えば、排出ユニット）を駆動制御することで、遊技者に遊技価値である賞球を供給する賞球排出（又は、賞球払出という）を行っていた。
即ち、遊技盤面に形成される遊技領域に遊技球（以下、場合により単に球という）を発射し、この発射球が遊技領域内に設けられた各種入賞口に入賞したことを条件として、遊技者に遊技価値の供給をすべく、排出制御装置に賞球数情報（例えば、５個賞球、１０個賞球というデータ）を送信して、排出制御装置によりパチンコ機前面下部の供給皿（又は、受け皿という）に所定数の遊技球（即ち、賞球）を排出している。
ところで従来では、上述した賞球排出の正常性（賞球排出された遊技球数が全体として正しいか否か等）は特に監視されていない。これは、特許文献１にみられるように、従来では、全ての入賞球（入賞した遊技球）を集めて１個宛検出するセーフユニットでの検出がなされた時点で前記賞球数情報が１個送信され、その賞球数情報に対応する賞球排出動作が終了するまでは、次の入賞球の賞球数情報が必ず送信されないようになっており、誤動作が起き難い構成だからであると考えられる。
【０００３】
より詳しく説明すると、通常のパチンコ機では、遊技性を高めるために、遊技領域に複数設けられた入賞口によって賞球数を異ならせている（例えば、始動入賞口への入賞に対しては５個賞球、他の入賞口への入賞に対しては１０個賞球などとしている）が、これら入賞口のうちの何れかに入賞があると、遊技制御装置が、まず入賞があったことを賞球数の違いを区別しつつ入賞記憶として記憶する（例えば、賞球数が２種類の場合は、一方を記憶し、他方は記憶しないことによって、両者を区別する）。
次いで、入賞球は、この入賞球を１個宛検出するセーフユニットに集合させられ、セーフユニット内に設けられた停留機構により一時的に停留されて、この停留状態の入賞球がセーフセンサによって１個宛検出され、その検出信号（入賞球信号）が出力される。
そして、遊技制御装置では上記セーフセンサからの入賞球信号が入力されると、前述の入賞記憶を確認し、例えば、入賞記憶が有る場合は、それに対応する賞球数情報（例えば、５個）を排出制御装置に送信し、また、入賞記憶が無い場合は、入賞記憶が無い場合に対応する賞球数情報（例えば、１０個）を送信していた。一方、排出制御装置では、送信された賞球数情報に基づいて賞球排出を実行するとともに、この賞球排出実行後にセーフユニットの停留機構を駆動させて当該賞球排出に関わった入賞球を遊技機外に排出して、入賞球１個に基づく賞球排出処理を終了する。この際、遊技制御装置においては、所定のタイミング（賞球数情報の送信が終了した時、賞球排出処理が開始された時、或いは、賞球排出処理が終了した時）で、排出制御装置に送信した賞球数情報に対応する入賞記憶を減算（消去）する構成となっている。
つまり、入賞球１個宛について賞球排出が間欠的に実行される構成であるため、賞球排出の誤動作が起きにくく、賞球排出の正常性を監視することは行われていなかった。
【０００４】
ところが、上述した従来の一般的な遊技機における入賞球の検出及び賞球排出の方法は、全ての入賞球をセーフユニットに集めた後に１個宛検出して、順番に賞球排出を実行する構成であるので、賞球排出が入賞時点よりもその分遅れることになり、特に多量の入賞が一時期に集中して発生したような場合には、全ての入賞球に対する賞球排出が完了する時点が入賞時点よりも相当に遅れる場合があり得る。
そこで最近では、賞球排出を高速にするために、上記したセーフユニットを設けないで、各入賞口それぞれに入賞球検出手段を設けたタイプのパチンコ機が提案されている。即ち、セーフユニットで１個宛検出したことに基づいて遊技制御装置から排出制御装置へ賞球数情報を送信する方法に代わって、例えば遊技盤面に設けられた各入賞口毎に遊技球のセンサ（即ち、入賞球検出手段）を設け、これらセンサの何れかに遊技球が入賞すると、排出制御装置に逐次賞球数情報を送信するとともに、入賞した遊技球を上記のごとく一時停留しておくことなく遊技機外に排出する制御を行い、一方、排出制御装置は送信された賞球数情報を順次記憶していき、この記憶していった賞球数情報に基づいて排出制御装置により球排出機構を駆動して賞球排出を実行するパチンコ機の提案がある。
【０００５】
しかし、このようなタイプのパチンコ機では、前述のセーフユニットを備えたタイプに比較して、複数の入賞が同時期にあった場合にはそれに応じた賞球排出をより高速で例えば入賞毎に間隔をあけずに行うことになるので、排出する賞球数に誤りが生じる恐れが全くないとはいえない。また、対応する賞球が未排出でも入賞球は即座に遊技機外に排出されてしまうため、例えば球排出機構の故障のために賞球が排出されないなどの事故が生じたときには、未排出の賞球数がどれだけ残っていたのかを後で確認できる仕組みが必要になるとともに、そのような異常の発生を監視して遊技者や遊技店に大きな不利益が生じる前にそのような異常を検知する必要がある。
そこで、上述したようなセーフユニットのないタイプのパチンコ機としては、例えば、実際に排出された賞球を検出する賞球検出手段を設け、さらに遊技制御装置に入賞の情報を記憶する記憶手段を設け、入賞が検出される毎に前記記憶手段の記憶値をその入賞分だけ増加させるとともに、前記賞球検出手段から賞球が検出される毎にその賞球分だけ前記記憶手段の記憶値を減少させるようにしたものが提案されている。
このような構成であると、前記記憶手段に賞球が未排出の入賞の情報が常に記憶されていることになり、前記記憶手段の記憶値を確認することで未払の賞球数が判明する。また、前記記憶手段の記憶値と、前記賞球検出手段の検出信号や球排出機構の作動状態などとを比較することで、賞球排出の異常が監視できる。例えば、前記記憶手段の記憶値が存在する（例えば、入賞数が１以上である）のに、長時間球排出機構が作動せず、或いは前記賞球検出手段の検出信号が出力されない場合には、賞球を排出すべきなのになんらかの故障で賞球が排出されていないと判断できるからである。
【０００６】
【特許文献１】特開２０００−１４８９７号公報
【発明の開示】
【発明が解決しようとする課題】
【０００７】
ところが、上述した遊技機（セーフユニットを持たないタイプ）における賞球排出の異常監視の仕組みには、実用上以下のような点で課題があり、より有効な異常監視の構成を備えたこの種の遊技機が要望されていた。
即ち、未排出の賞球数のデータの記憶管理の構成としては、遊技制御装置又は排出制御装置のいずれか一方に記憶されているだけのもの、或いは賞球数のデータそのものではなく、入賞の情報（入賞数や入賞の種類の情報）のみが遊技制御装置に記憶され、未排出の賞球数自体のデータは排出制御装置にのみ記憶されているタイプなどが提案されているが、より制御処理が簡単で信頼度の高いものが望まれる。例えば、遊技制御装置又は排出制御装置のいずれか一方に記憶されているだけでは、まんがいち一方のメモリについて故障があった場合（例えば停電等により一方のメモリのデータが壊れた場合）に、未排出の賞球数のデータが完全に分からなくなってしまう問題があるからである。
そこで本発明は、未排出の賞球数データの記憶管理が信頼性高く実現され、その記憶値に基づく賞球排出の正常性の確認が容易な遊技機を提供することを目的としている。
【課題を解決するための手段】
【０００８】
本願の遊技機は、遊技盤に設けられる入賞口へ遊技球が入賞することに関連して遊技の進行を管理制御する遊技制御装置と、遊技球を少なくとも賞球として排出するための球払出手段と、この球払出手段の動作を制御する排出制御装置と、を備える遊技機において、
遊技盤に設けられる入賞口への入賞球を検出する入賞球検出手段と、
前記入賞球検出手段の検出結果に基づいて排出される賞球を検出する賞球検出手段と、を設け、
前記遊技制御装置を構成するＣＰＵを含む各素子の動作に必要な電源を供給するロジック電源回路と、
電源電圧が所定電圧まで低下したことを停電として検出する機能を有し、停電を検出すると、前記遊技制御装置に停電検出信号を出力し、前記電源電圧が前記ＣＰＵが正常に動作できる値より降下する前に、前記ＣＰＵに強制的にリセット信号を入力して前記ＣＰＵの動作を停止させる停電検出回路と、
停電時にバックアップ電源を供給可能なバックアップ電源手段と、
を備え、
前記遊技制御装置は、
前記入賞球検出手段により検出された入賞に基づいて賞球数情報を決定し、該賞球数情報を払出要求値として記憶する払出要求値記憶手段と、
この賞球数情報を前記排出制御装置に対して送信する賞球数情報送信手段と、
前記賞球検出手段が賞球を検出する毎に、この検出された賞球数に対応する賞球数情報を前記払出要求値記憶手段から減算する払出要求値減算手段とを備える構成とし、
前記バックアップ電源手段は、
停電時に、前記払出要求値記憶手段の記憶内容が保持されるべく、前記払出要求値記憶手段にバックアップ電源を供給可能であることを特徴とする。
【０００９】
また好ましい態様として、例えば請求項２に記載のように、前記排出制御装置と遊技制御装置は双方向通信が可能な構成であってもよい。
また、例えば請求項３に記載のように、前記遊技制御装置から外部の管理装置に各種信号を出力する遊技盤用外部出力端子を備え、
前記遊技盤用外部出力端子は、賞球の排出数の情報を前記管理装置に送信する構成でもよい。
また、例えば請求項４に記載のように、前記賞球検出手段の検出出力を前記排出制御装置に入力させ、
前記排出制御装置が、
前記遊技制御装置から受信した賞球数情報を払出実行値として記憶する払出実行値記憶手段と、
前記遊技制御装置から賞球数情報を受信する毎に、受信した賞球数情報を前記払出実行値記憶手段に加算する払出実行値加算手段と、
前記払出実行値記憶手段に賞球数情報が存在する場合に、前記球払出手段の最大排出球数以下でかつ前記払出実行値記憶手段の記憶値以下という条件における最大値を払出目標値として設定し、前記払出目標値分だけの賞球の排出が行われるように、前記球払出手段の動作を制御する払出実行制御手段と、
前記賞球検出手段が賞球を検出する毎に、この検出された賞球数に対応する賞球数情報を前記払出実行値記憶手段から減算する払出実行値減算手段と、を備える構成であってもよい。
【発明の効果】
【００１０】
請求項１記載の遊技機では、未排出の賞球数情報のデータが、払出要求値として遊技制御装置の払出要求値記憶手段に記憶されており、しかもこのデータは、バックアップ電源手段によって停電時も保持される。このため、停電時においても、未払の賞球数データが記憶保持されるため、停電復帰後にその未払の賞球を排出することが、高い信頼度で確実に実行できる。したがって、停電による賞球数情報のデータ消失によって、遊技者に不利益をもたらしたり、遊技者と遊技店間でトラブルを生じたりする事態を、高い信頼度で防止できる。
しかも請求項１に記載の遊技機は、停電検出回路により、停電を検出すると、事前に（即ち、遊技制御装置を構成するＣＰＵが正常に動作できる値よりも電源電圧が降下する前に）、前記ＣＰＵに強制的にリセット信号を入力して前記ＣＰＵの動作を停止させる。このため、停電により前記ＣＰＵが不安定になって遊技制御装置のＲＡＭ等の記憶手段（特に払出要求値記憶手段）に不定な値が書き込まれ、前記記憶手段のデータが不明確な状態で遊技制御装置が停止することが防止でき、前記記憶手段に記憶されている内容（特に払出要求値のデータ）を確実に保持できる。
【００１１】
次に、請求項４に記載の遊技機は、未排出の賞球数情報のデータが、遊技制御装置及び排出制御装置の両方に記憶されており、しかもこれらデータは、ほぼ常に同じ数値になるように管理される。即ち、遊技制御装置の払出要求値記憶手段と、排出制御装置の払出実行値記憶手段とには、払出要求値又は払出実行値として、ほぼ常に賞球数情報の同じデータが記憶される。なぜなら、排出制御装置には、遊技制御装置の賞球数情報送信手段によって、払出要求値記憶手段に加算されるものと同じ賞球数情報がこの加算処理とほぼ同時に送信され、排出制御装置の払出実行値加算手段によって即座に払出実行値記憶手段にも加算される。また、賞球検出手段によって賞球が検出されると、遊技制御装置の払出要求値減算手段と排出制御装置の払出実行値減算手段とによって、その分の賞球数情報のデータが各記憶手段からそれぞれほぼ同時に減算されるからである。
このため、まんがいち一方の記憶手段について故障があった場合（例えば停電等により一方のデータが壊れた場合）にも、未排出の賞球数のデータを他方の記憶手段によって確認し、その未排出分の賞球排出（例えば、停電後の補足的賞球排出）が確実に可能となる。
また、各記憶手段のデータを例えば遊技店の係員が適宜読み取って比較することによって（例えば管理装置のモニターにこれらデータを表示して見ることができるようにしてもよい）、未排出の賞球数のデータが適正に記憶保持されていること（或いは、不正なデータの書き込み等が行われていないこと）を、容易に監視できる。
したがって、未排出の賞球数データの記憶管理が、より制御処理が簡単で信頼度の高いものとなる。
また、請求項４に記載の遊技機では、排出制御装置の払出実行制御手段が、払出実行値記憶手段に賞球数情報が存在する場合に、球払出手段の最大排出球数以下でかつ払出実行値記憶手段の記憶値以下という条件における最大値を払出目標値として設定し、この払出目標値分だけの賞球の排出が行われるように、球払出手段の動作を制御する。つまり、１回の賞球排出の目標値を、払出実行値記憶手段の記憶値と最大排出球数の範囲内でなるべく大きな値とする。このため、１回の賞球排出で最も多くの賞球が排出でき、賞球排出の高速化に寄与できる。
【発明を実施するための最良の形態】
【００１２】
以下、本発明の実施の形態をパチンコ機に適用した例として、図面を参照して説明する。
（第１形態例）
まず、第１形態例を説明する。
なお、本形態例のパチンコ機は、遊技球の排出（特に賞球排出）に関連する制御構成又は球排出機構の構成に特徴を有し、パチンコ機の遊技盤を含む正面構成や球排出機構以外の裏機構については特に限定されないものである。そのため、それらの構成についての図示及び説明を省略する。
また、遊技盤における遊技領域は遊技球を用いて遊技を行うものであれば、例えばいわゆる「第１種」に属するもの、あるいは「第２種」，「第３種」に属するもの、あるいは他の機種等であってもよく、任意の構成をとり得る。
但し、本形態例では、「第１種」に属するものとして、後述する制御系の構成例等を説明している。なお、「第１種」のパチンコ機の遊技盤面の主な構成（図示省略）は、例えば以下のようになっている。即ち、この種のパチンコ機の遊技盤面上には、識別情報（いわゆる特図）を複数の変動表示領域毎に変動表示する画像表示装置（特図表示装置などと呼ばれるもの）と、開閉扉により開閉される大入賞口を有する特別変動入賞装置と、左右一対の開閉部材を有し特図始動口（特図の変動表示の始動条件となる入賞口）として機能する普通変動入賞装置と、普通図柄（いわゆる普図）を表示する普通図柄表示器（図３では普図ＬＥＤ７と称している）と、スルーチャッカー形式の普図始動口（普図の変動表示の始動条件となる入賞口）と、複数の一般入賞口などが備えられている。
【００１３】
Ａ．球排出機構の構成
次に、本形態例の排出ユニット１５（球排出機構）の構成について説明する。この排出ユニット１５は、遊技機裏面側に設けられるものである。
図９はこの排出ユニット１５の内部構成を示す縦断面図である。排出ユニット１５は、遊技球が重力で流れ落ちるように基本的に上下方向に形成された遊技球流路３０と、この遊技球流路３０の上部に設けられた球払出手段４０と、この遊技球流路３０の下部に設けられた排出球検出手段５０とを備える。なお、図９において符号Ｋで示すものは、遊技球である。
遊技球流路３０は、遊技機裏面に設けられた図示省略の貯留タンクから誘導路により誘導されて半端センサユニットを経た遊技球が上端側から流下するもので、球払出手段４０より下方の分岐部３１において二つに分岐し、一方が賞球として排出された遊技球を通過させるための賞球流路３２となっており、他方が貸球として排出された遊技球を通過させるための貸球流路３３となっている。分岐部３１には、遊技球流路３０の上流側に対して賞球流路３２又は貸球流路３３の何れか一方を閉じる位置に揺動可能な流路切換弁３４（流路切換手段）が設けられ、この流路切換弁３４が流路切換弁用ソレノイド３５に駆動されて何れか一方の位置に揺動することにより、遊技球流路３０の下流側に排出された遊技球Ｋが、賞球流路３２と貸球流路３３のうちのいずれか一方を通過する構成となっている。ここで、流路切換弁用ソレノイド３５は直動型のもので、その出力軸３５ａが進退することにより、その出力軸３５ａに連結されたレバー３５ｂを介して流路切換弁３４が揺動する。
なお本形態例の排出ユニット１５は、上記遊技球流路３０が図９の紙面に直交する方向に２列設けたれた２条タイプであり、遊技球流路３０に付随する構成要素（流路切換弁３４等や排出球検出手段５０など）も、これに対応して２組設けられている。
また、貯留タンク（図示略）は、排出される前の球を予め貯留しておくもので、この貯留タンクの球数の不足は補給センサ（図示略）によって検出され、不足のときは島設備から球が補給される。貯留タンク内の球は誘導路（図示略）により誘導され、排出ユニット１５によって排出される。誘導路に賞球排出あるいは球貸し排出のための球が有るかどうかは半端センサユニットの半端センサ（半端球検出スイッチ１４（図１に示す）によって検出される。
【００１４】
球払出手段４０は、２列の遊技球流路３０に対応した２枚のスプロケット４１と、これらを一括駆動する１個のパルスモータ４２と、このパルスモータ４２の回転出力をスプロケット４１に伝達するための小歯車４３及び大歯車４４と、重力によるスプロケット４１の不用意な回転（即ち、遊技球Ｋの不用意な排出）を防止するための停止部材４５と、この停止部材４５を駆動するストッパーソレノイド４６とを有する。
スプロケット４１は、遊技球流路３０の上部に設けられた開口３６から外周部が部分的に遊技球流路３０内に位置するように配置され、図９において紙面に直交する方向に配設された軸４７により回転自在に支持されている。このスプロケット４１は、外周の歯と歯の間（即ち、谷部）に遊技球Ｋが１個宛はまり込む寸法形状となっており、必ずこのスプロケット４１の回転を伴って遊技球Ｋがこのスプロケット４１の箇所を通過する構成となっている（即ち、スプロケット４１が回転しなければ、遊技球流路３０の開口３６の箇所を遊技球Ｋは通過できない構成となっている）。また、２枚のスプロケット４１は、図９に示すように相互に移送が半ピッチ分ずれており、遊技球Ｋを交互に排出する。
パルスモータ４２は、前記軸４７と平行に配設され、スプロケット４１を図９において反時計方向（以下、排出方向という）に所定量（所定角度又は所定回転量）だけ回転させて、遊技球Ｋを所定数下流側に排出する動作を駆動制御するためのものである。なおこのパルスモータ４２は、後述する排出制御装置２００によって制御される。
【００１５】
小歯車４３は、前記軸４７と平行な軸（符号省略）に回転自在に支持されて配設され、一方側でパルスモータ４２の出力軸に固定された駆動歯車（図示省略）とかみ合い、他方側で大歯車４４とかみ合っている。また、大歯車４４は、スプロケット４１と同一の軸４７に回転自在に支持されてスプロケット４１と一体的に連結されている。なおこの場合、この大歯車４４は、２枚のスプロケット４１の内側に２個並列に設けられており、それぞれが１個の小歯車４３とかみ合っている。
停止部材４５は、断面コ字状の支持部材４７ａにその上端側が支持された可動板で、爪４５ａが形成された下端側が大歯車４４に対して進退するように揺動自在となっている。この停止部材４５の上端は、引張バネ４８によって付勢されており、この付勢力の向きは、爪４５ａを大歯車４４の外周に押し付ける向きに設定されている。また、この停止部材４５の爪４５ａは、大歯車４４の外周に押し付けられたときに、各大歯車４４の歯に係合し各大歯車４４の回転（即ち、各スプロケット４１の回転）を阻止する寸法形状となっている。
また、ストッパーソレノイド４６は、停止部材４５の背面側に配置されて支持部材４７ａ内に固定され、励磁されると停止部材４５を引きつける力（大歯車４４から後退させる力）を発生させ、非励磁状態では停止部材４５を解放するものである。このストッパーソレノイド４６も、後述する排出制御装置２００によって制御される。
【００１６】
このように構成された球払出手段４０では、排出制御装置２００の制御によりストッパーソレノイド４６が作動すると（励磁されると）、上述の引きつける力により停止部材４５の下端側が後退方向に揺動してその爪４５ａが大歯車４４の外周に係合した状態が解除され、スプロケット４１が回転可能状態になる。そして、この回転可能状態において、排出制御装置２００の制御によりパルスモータ４２が作動してスプロケット４１が排出方向に所定量だけ回転することによって、それに対応した数量の遊技球Ｋが下流側に送り出され、重力により遊技球流路３０を流れ落ちてゆく。また、こうして所定量の遊技球Ｋが排出された直後には、排出制御装置２００の制御によりパルスモータ４２の回転が停止されるとともに、ストッパーソレノイド４６が即座に非作動状態（非励磁状態）に戻される。これにより、引張バネ４８の付勢力によって停止部材４５の下端側が前進方向に揺動してその爪４５ａが大歯車４４の外周に係合状態となり、スプロケット４１の回転が阻止されて重力の作用で所定量を越える量の遊技球Ｋが流下してしまう誤動作が確実に防止される。なお、遊技球の排出中（即ち、賞球排出又は貸球排出の最中）に停電があり、パルスモータ４２やストッパーソレノイド４６の作動が排出制御装置２００による停電処理により停止した場合にも、上述した停止部材４５の作用で遊技球Ｋの流下が即座に阻止される。
次に、排出球検出手段５０は、この場合、賞球流路３２を通過する遊技球Ｋ（即ち、賞球）を検出する賞球検出センサ５０ａ（賞球検出手段）と、貸球流路３３を通過する遊技球Ｋ（即ち、貸球）を検出する貸球検出センサ５０ｂ（貸球検出手段）とよりなる。
なお、これらセンサ５０ａ，５０ｂの検出出力は、後述する排出制御装置２００に入力されており、さらにこれらセンサのうち賞球検出センサ５０ａの検出出力は、後述する遊技制御装置１００にも入力されている。また、これらセンサ５０ａ，５０ｂは、遊技球流路３０が２条あることに対応して、各遊技球流路３０にそれぞれ１個宛設けられており、後述する図１では、例えば一方の賞球検出センサ５０ａを第１賞球検出センサ５０ａ、他方の賞球検出センサ５０ａを第２賞球検出センサ５０ａと称している。
また、後述する制御ブロック図（図１）では、図９に示した排出ユニット１５のうち、球払出手段４０が設けられた上部の本体部分を払出ユニット１５ａと称し、流路切換弁３４やセンサ５０ａ，５０ｂ等が設けられた下部を流路切換ユニット１５ｂと称している。
【００１７】
Ｂ．制御系の構成
次に、本形態例のパチンコ機の制御系の構成について説明する。
図１は制御系を示す図である。この制御系は、大きく分けて、遊技制御装置１００と、電源供給装置１５０や排出制御装置２００を初めとするその他の周辺装置等によって構成される。
ここで、遊技制御装置１００は、マイクロコンピュータを含む回路で、この場合遊技盤の裏面に取付けられた役物制御ユニット（図示略）により実現されている。また、電源供給装置１５０は、例えば遊技機の枠側に設けられたユニットで実現されている。また、排出制御装置２００は、例えば遊技機の枠側に設けられた排出制御ユニット１６（図示略）によって実現されている。
図１において、遊技制御装置１００は、パチンコ遊技等に必要な役物制御を行うワンチップマイコンからなる遊技用マイクロコンピュータ１１０と、水晶の発振周波数を分周して所定のクロックを得るクロック生成回路（ＣＬＫ）１０１と、各種信号の入出力を行う入出力インターフェース１０２と、リセットパルス幅生成回路１０３とを含んで構成される。遊技用マイクロコンピュータ１１０は、ＣＰＵ１１１、ＲＯＭ１１２、ＲＡＭ１１３を内蔵しており、いわゆるアミューズチップ用のＩＣとして製造されている。
ここで、遊技用マイクロコンピュータ１１０のＣＰＵ１１１は、本発明の賞球数情報送信手段、払出要求値加算手段、払出要求値減算手段を構成している。また、ＲＡＭ１１３（厳密には、ＲＡＭ１１３内に設けられた後述の払出要求残カウンタ１１３ａ）は、本発明の払出要求値を記憶する払出要求値記憶手段に相当している。
【００１８】
入出力インターフェース１０２には、特図始動センサ（特図始動スイッチ）５１、普図始動ゲートセンサ（普図始動スイッチ）５２、継続センサ（アタッカーＶスイッチ）５３、カウントセンサ（アタッカーカウントスイッチ）５４、入賞センサ（入賞口スイッチ）１〜Ｎ（Ａ１〜ＡＮ）からの検出信号が入力される。
また、この入出力インターフェース１０２には、賞球排出および貸球排出のための遊技球が有るかどうかを検出する前述の半端センサ（半端球検出スイッチ）１４、遊技機前面下部に設けられ下皿（図示省略）の満杯状態（球の過剰貯留）を検出するオーバーフローセンサ（オーバーフロースイッチ）１２２、遊技機前面のガラスを支持するガラス枠が開けられたことを検出するガラス枠解放センサ（ガラス枠解放スイッチ）１２３からの検出信号も、入力されている。また、賞球排出数を検知するための前述の第１及び第２賞球検出センサ５０ａからの検出信号も、中継基板２５０を介して入力されている。
なお、入賞センサ１〜Ｎ（Ａ１〜ＡＮ）は一般入賞口に入賞した入賞球をそれぞれ検出するセンサであり、遊技盤に一般入賞口がｎ個ある場合には、入賞センサはｎ個配置される。
また、特図始動センサ５１は、前述の特図始動口に入賞した入賞球を検出するセンサであり、普図始動ゲートセンサ５２は、前述の普図始動口に入賞（通過）した入賞球を検出するセンサであり、継続センサ５３は、前述した特別変動入賞装置の大入賞口内における継続入賞流路（いわゆる特別入賞口を通過する流路）に流入した入賞球を検出するセンサであり、カウントセンサ５４は、前述した特別変動入賞装置の大入賞口内における一般入賞流路（特別入賞口を通過しない流路）に流入した入賞球を検出するセンサである。
これらセンサ５１〜５４や入賞センサ１〜Ｎ（Ａ１〜ＡＮ）は、本発明の入賞球検出手段に相当する。但し、普図始動口に遊技球が入賞（通過）しても通常賞球排出は実行されない（普図始動口は通常普図変動を始動させるだけのものである）ので、このような場合、普図始動ゲートセンサ５２は、本発明の入賞球検出手段に相当しない。本形態例では、普図始動ゲートセンサ５２を本発明の入賞球検出手段から除くこととする。
【００１９】
一方、入出力インターフェース１０２からは、前述の画像表示装置においてＬＣＤ等の表示装置本体を制御する表示制御装置１３１、遊技盤上のランプなどの制御を行う装飾制御装置１３２、図示省略したスピーカを駆動して効果音などの出力制御を行う音制御装置１３３、前述の普通図柄表示器（普図ＬＥＤ）７、前述の普通変動入賞装置を駆動する普通電動役物ソレノイド(普電ソレノイド)１３４、前述の特別変動入賞装置の開閉扉を駆動する大入賞口ソレノイド（アタッカーソレノイド）１３５、遊技盤用外部出力端子１３６、試験用出力部１３８に信号が出力される。また、この入出力インターフェース１０２からは、排出制御装置２００にも賞球制御情報（遊技価値排出制御情報）の信号が出力される。なお、賞球制御情報（遊技価値排出制御情報）の内容としては、賞球数情報や排出条件の情報が出力される。
ここで、遊技盤用外部出力端子１３６は、遊技盤側に設けられた外部情報端子であり、ここから外部の管理装置（図示略）に各種信号（例えば、大当り信号等）を出力するものである。なお、管理装置はホール全体の遊技機、島設備等を管理するもので、この端子を介して遊技制御装置１００から各種信号（例えば、大当り信号等）が入力され、入力された各種信号に基づいて営業上の必要なデータを演算処理し、処理したデータを必要に応じてディスプレイに表示したり、印刷したりする。また、前述の賞球検出センサ５０ａの検出出力から遊技制御装置１００において検知された賞球の排出数の情報が、例えば上記遊技盤用外部出力端子１３６を介して適宜管理装置に送信される構成であってもよい。例えば、遊技制御装置１００が、賞球検出センサ５０ａの検出出力に基づき、１０個の遊技球が賞球として排出されたことを検知すると、その都度そのことを報知する信号を上記遊技盤用外部出力端子１３６を介して管理装置に送信する構成でもよい。
また、試験用出力部１３８は、遊技制御装置１００に記憶されている情報の読み出し等が可能な通信用の端子であり、遊技制御装置１００の状態を検査する際などに用いるものである。
【００２０】
次に、排出制御装置２００は、遊技制御装置１００から入力される賞球制御情報（遊技価値排出制御情報）に基づいて、前述の排出ユニット１５を駆動して遊技球を排出する制御（詳細後述する）を行うものである。この場合の排出制御装置２００は、ＣＰＵ２１１、ＲＯＭ２１２、及びＲＡＭ２１３を含むマイクロコンピュータ２１０と、所定のクロックを得るクロック生成回路（ＣＬＫ）２０４と、入出力用インターフェース２０５とを含んで構成される。なお、各素子間はアドレスバス、データバス、電源線等で接続されている。ＣＰＵ２１１は遊技球の排出（賞球排出および貸球排出を含む）に必要な処理を行い、ＲＯＭ２１２は排出制御に必要なプログラム等を格納している。
ここで、マイクロコンピュータ２００のＣＰＵ２１０は、本発明の払出実行制御手段、払出実行値加算手段、払出実行値減算手段、賞球排出監視手段を構成している。また、ＲＡＭ２１３（厳密には、ＲＡＭ２１３内に設けられた後述の払出実行残カウンタ２１３ａ）は、本発明の払出実行値を記憶する払出実行値記憶手段に相当している。
【００２１】
排出制御装置２００の入出力用インターフェース２０５には、プリペイドカードユニット（ＣＲサンドユニット）２と、前述の賞球検出センサ５０ａ及び貸球検出センサ５０ｂからの信号が入力されている。
また、入出力用インターフェース２０５からは、前述のパルスモータ（球排出モーター）４２やストッパーソレノイド４６、及び流路切換弁用ソレノイド（流路切換ソレノイド）３５に制御信号が出力される。
【００２２】
次に、電源供給装置１５０は、ＤＣ５Ｖ生成回路（ロジック電源回路）１５１、停電検出回路１５２、逆流防止用のダイオード１５３を含んで構成される。
ＤＣ５Ｖ生成回路１５１には電源供給装置１５０からＤＣ１２Ｖが供給されており、ＤＣ５Ｖ生成回路１５１はＤＣ１２ＶをＤＣ５Ｖに変換して上記ＣＰＵ１１０，２１０等の各素子の動作に必要な電源を供給する。但し、ＲＡＭ１１３，２１３には、不可逆手段として機能するダイオード１５３を介して、また配線１５４ａ，１５４ｂや１５５ａ，１５５ｂを通して、ＤＣ５Ｖ生成回路１５１からＤＣ５Ｖが供給される。また、ＤＣ５Ｖ生成回路１５１からのＤＣ５Ｖは電源供給装置１５０の内部に配置されたコンデンサ（スーパキャパシタ）１５６にも供給されるようになっている。コンデンサ１５６は、配線１５４ａ，１５４ｂや１５５ａ，１５５ｂを介して、ＲＡＭ１１３及び２１３に接続されている。
配線１５４ａ，１５４ｂや１５５ａ，１５５ｂの途中にはオス／メスタイプのコネクタ（図示略）が設けられており、コネクタによりこれら配線は電源供給装置１５０側と遊技制御装置１００側又は排出制御装置２００側とに分離可能である。
【００２３】
ここで、コンデンサ１５６は、本発明のバックアップ電源手段に相当し、通常運転時（非停電時）にダイオード１５３を介して充電され、停電時はＲＡＭ１１３及び２１３をバックアップするものである。即ち、コンデンサ１５６は、これらＲＡＭ１１３，２１３の記憶内容（特に、賞球データのメモリエリア）を保持すべくこれらＲＡＭ１１３，２１３に対してバックアップ電源を供給する。
なお前述したように、従前の一般的なパチンコ機は、全ての入賞球を一カ所に集めて１個ずつ検出し、入賞球を賞球払出が完了するまで保持しておくセーフユニットを備えていて、停電があってもこのセーフユニットに保持されている入賞球を確認することで、未排出の賞球数がある程度判定できた。しかし、本形態例の場合には、このようなセーフユニットを備えずに、前述した如く各入賞口毎に入賞検出を行う構成であるため、未排出の賞球の情報をソフト的に保持しておく必要があり、そのためにこのようなバックアップ電源が供給される構成となっている。また、単に遊技制御装置１００や排出制御装置２００内にバックアップ電源を設けた場合には、排出制御装置２００が不正に取り外されて賞球排出情報が不正に書き込まれることによる不正な賞球排出を回避困難であるため、バックアップ電源であるコンデンサ１５６をこれら制御装置の外部に設けている。このようにすれば、各制御装置１００又は２００を取り外したときにバックアップ電源の供給が断たれるので、そのような不正な賞球排出情報の書き込みが不可能となる。
【００２４】
また、停電検出回路１５２は、ＤＣ５Ｖ生成回路への電源供給が断たれたことを検出（例えば、ＤＣ３２Ｖが所定の電圧まで低下したとき停電として検出）するもので、停電になると、事前に停電検出信号を出力した後、ＣＰＵ１１１及び２１１に強制的にリセット信号を入力してこれらＣＰＵの動作（即ち、各マイクロコンピュータの動作）を停止させるものである。このような構成であれば、停電の際に各ＣＰＵが正常に動作できる電圧時（完全にダウンする前に）に各ＣＰＵを停止させて、停電により各ＣＰＵが不安定になってＲＡＭ１１３や２１３に不定な値が書き込まれることが防止でき、各ＲＡＭに記憶されている内容を確実に保持できる。
【００２５】
Ｃ．制御系の動作
次に、前述した制御系により行われる本形態例のパチンコ機の制御処理について説明する。なお、本発明の特徴部分である賞球排出関連の処理（サブルーチン）のみについて説明し、他の処理（メインルーチン含む）については省略する。また、図２は、この第１形態例の賞球排出関連の制御処理の主な流れを示す図である。
（ａ）遊技制御装置における賞球データ送信制御
図３（ａ）は、遊技制御装置１００（遊技用マイクロコンピュータ１１０）による賞球データ送信制御の処理を示すフローチャートである。この処理は、例えば、遊技制御装置１００のメイン制御処理（メインルーチン）におけるサブルーチンとして、図１の発振器１０１により作り出される基準時間（例えば、４ｍｓ）毎に１シーケンスずつ、繰り返し行われる。
【００２６】
処理が開始されると、ステップＳ１において、入賞球検出手段（前述の特図始動センサ５１、入賞センサ１〜Ｎ、継続センサ５３、及びカウントセンサ５４など）の出力を読み取り、なんらかの入賞が検出されているか否か判定する。入賞が検出されていれば、ステップＳ２に進み、検出されていなければ、１シーケンスの処理を終了する（例えば、メインルーチンにリターンする）。
そして、ステップＳ２では、検出された入賞に対応する賞球数を決定し、次いでステップＳ３では、ＲＡＭ１１３内の払出要求残カウンタ１１３ａ（図２に示す）に、決定した賞球数（例えば、５個、１０個、或いは１５個のうちのいずれかなど）に対応する値（賞球数情報）を払出要求値として加算する。
次に、ステップＳ４では、ステップＳ２で決定した賞球数（賞球数情報）を含むコマンドを排出制御装置２００に送信する。なお、このコマンドは、前述した賞球制御情報（遊技価値排出制御情報）の一部である。そして、前述した賞球制御情報には前述の排出条件の情報も含まれているが、この場合上記コマンドは、この排出条件の情報とは別々に送信される。但し、上記コマンドを、排出条件の情報をも含む賞球制御情報として送信してもよい。このステップＳ４を経ると、１シーケンスが終了する。
以上の処理によれば、図２に示す如く、入賞が検出される毎に、賞球数情報（払い出し個数コマンド）が決定され、これが排出制御装置２００に送信されるとともに、この賞球数情報が払出要求値記憶手段である払出要求残カウンタ１１３ａの記憶値（払出要求値）として累積加算される。
【００２７】
（ｂ）遊技制御装置における賞球払出監視制御
次に図３（ｂ）は、遊技制御装置１００による賞球払出監視制御の処理を示すフローチャートである。この処理も、例えば、遊技制御装置１００のメイン制御処理におけるサブルーチンとして、基準時間毎に１シーケンスずつ、繰り返し行われる。
処理が開始されると、ステップＳ１１において、払出要求残カウンタ１１３ａに残数が有るか否か（即ち、値が賞球数１個分以上か否か）判定し、有ればステップＳ１２に進み、無ければステップＳ１６に進む。
次に、ステップＳ１２では、賞球検出センサ５０ａの検出信号を読み取り賞球が検出されたか否か判定し、検出されればステップＳ１３に進み、されなければステップＳ１７に進む。
そして、ステップＳ１３では、検出された賞球数分（通常は、１個宛検出される）だけ払出要求残カウンタ１１３ａのデータ（払出要求値）を減算し、１シーケンスの処理を終了する。なお本形態例では、払出要求残カウンタ１１３ａのデータがゼロになっている場合には、たとえこのステップＳ１３に処理が進んで減算すべき賞球数が存在していても、払出要求残カウンタ１１３ａのデータをその分マイナス値として設定することはしない（即ち、この場合には、ゼロのまま留める）。但し、変形例としては、過剰排出分をマイナス値として記憶可能で、その分がその後の入賞分から差し引かれて調整されるような態様もあり得る。
【００２８】
一方、ステップＳ１７では、払出要求残カウンタ１１３ａに値があるのに賞球が検出されない（賞球排出する必要があるのに賞球排出が実行されない）ので、異常判定を行う。異常判定は、例えば、払出要求残カウンタ１１３ａに値があるのに賞球が検出されない時間が設定値を越えた場合に異常と判定するものである。異常と判定されれば、ステップＳ１８に進んで異常を報知するためのなんらかの信号出力や表示などを行う。例えば、前述の遊技盤用外部出力端子１３６を介して管理装置にこの異常を示す信号を出力する。一方、異常と判定されなかった場合には、１シーケンスの処理を終了する。また、ステップＳ１８を経ると、１シーケンスの処理を終了する。
また、ステップＳ１６では、賞球検出の有無に基づく異常判定を行う。このステップＳ１６に処理が進むのは、上述した払出要求残カウンタ１１３ａの残数が無しになっているので、いちおう賞球排出が正常に終了したと推定される。しかし、このような状態にもかかわらず、まんがいち賞球検出がなされている場合には、異常又は不正な賞球排出が実行されていると判断されるので、それを判定する。具体的には、例えばこのステップＳ１６に処理が進む毎に賞球検出センサ５０ａの検出信号を読み取って賞球が検出されたか否か判定し、賞球が検出された場合には、ＲＡＭ１１３内の特定のエリア（以下、異常判定用カウンタという）に検出された賞球数のデータを累積加算する。そして、この累積加算後の異常判定用カウンタの値をその都度確認して既定値（例えば、賞球数１６個分）以上となったときには、異常又は不正な賞球排出（過剰賞球排出）が実行されているとして、ステップＳ２０に進む。賞球が検出されない場合、或いは賞球が検出されても上記異常判定用カウンタの値が既定値に未到達の場合には、正常の範囲であるとして、１シーケンスの処理を終了する。なお、上記異常判定用カウンタの値は、例えばステップＳ１１の判定が肯定的になったときに、初期化してゼロに戻す。
そして、ステップＳ２０では、例えば装飾制御装置１３２にコマンドを出力し、過剰賞球排出のエラーが生じたことを報知する遊技機前面の特定の警告ランプ等を、例えば遊技機の電源が再投入されるまで点灯又は点滅させ続けるための設定を行い、その後、１シーケンスの処理を終了する。
なお、ステップＳ１６では、次のようなより単純な処理を行ってもよい。即ち、賞球検出センサ５０ａの検出信号を読み取り賞球が検出されたか否か判定し、検出されればステップＳ２０に進んで異常出力（例えば、上述したような警告ランプの点灯など）を行い、検出されなければ、完全に正常であるとして、１シーケンスの処理を終了するというものでもよい。
【００２９】
以上の処理によれば、図２に示す如く、賞球が検出される毎に、この賞球分に対応した賞球数情報が払出要求値記憶手段である払出要求残カウンタ１１３ａの記憶値（払出要求値）から減算される。
また、払出要求値が有るのに賞球検出がなされないと異常判定され、場合により異常報知のための出力が実行される（ステップＳ１７，Ｓ１８）。
また、払出要求残カウンタカウンタ１１３ａ（払出要求値記憶手段）の残数が無いのに賞球検出がなされているときにも、場合によっては異常報知の出力が実行される（ステップＳ１６，Ｓ２０）。
【００３０】
そして、正常に賞球検出が実行され、払出要求残カウンタ１１３ａのデータが減算されている過程（払出要求残カウンタ１１３ａの残数が有る状態）では、ステップＳ１３を経て１シーケンスの処理が終了し、異常出力はなされない（即ち、正常として処理が続行される）。また、払出要求残カウンタ１１３ａに残数が無くなり、賞球検出が無くなった場合にも、ステップＳ１６の判定が否定的となり、異常出力はなされない（即ち、正常として処理が続行される）。
なお、払出要求残カウンタ１１３ａに残数が無くなった後には、ステップＳ１１の判定が否定的になり、ステップＳ１６を経て１シーケンスが終了し、ステップＳ１６の処理で異常と判定されない限り、実質的にはなにも実行されない。そして、この状態は前述したステップＳ３（入賞による払出要求残カウンタ１１３ａへの加算）が実行されるまで続く。
なお、上述のステップＳ１７，Ｓ１８やステップＳ１６，Ｓ２０の処理は、賞球排出の正常性をより念を入れて監視するための処理であり、必ずしも設ける必要はない。また、これらの監視処理は、排出制御装置２００の側でも行ってもよいし、管理装置で行うようにしてもよい。また、このような監視（例えば、カウンタ１１３ａに残数がないのに賞球検出がなされていることの確認）は、例えば管理装置のモニターの表示によってこれらデータを見ることができる管理者によって実行されてもよい。
【００３１】
（ｃ）排出制御装置のデータ受信処理
次に、排出制御装置２００（マイクロコンピュータ２１０）により行われるデータ受信処理（割込処理）を、図４（ａ）のフローチャートにより説明する。
なおこの処理は、遊技制御装置１００の前述のステップＳ４の処理で送信される賞球制御情報（遊技価値排出制御情報）のコマンドが入力されることで生じる割込信号を起因として実行される割込処理である。
処理が開始されると（即ち、上記コマンドが入力されると）、ステップＳ２１において、先ずこのコマンドを受信する処理を行う。
次いで、ステップＳ２２では、ＲＡＭ２１３内の払出実行残カウンタ２１３ａ（図２に示す）に、受信したコマンドに含まれる賞球数情報を払出実行値として加算する。
以上の処理によれば、図２に示す如く、賞球数情報が受信される毎に、受信された賞球数情報が、払出実行値記憶手段である払出実行残カウンタ２１３ａに累積加算される。
【００３２】
（ｄ）排出制御装置の賞球払出制御
次に、排出制御装置２００の賞球払出制御を、図４（ｂ）のフローチャートにより説明する。なおこの処理は、例えば、排出制御装置２００のメイン制御処理におけるサブルーチンとして、基準時間毎に１シーケンスずつ、繰り返し行われる。
処理が開始されると、ステップＳ３１で、前述の払出ユニット１５ａのモータ４２やストッパーソレノイド４６の作動が終了しているか否か（即ち、停止状態か否か）判定する。そして、停止状態ならばステップＳ３２に進み、作動中ならばステップＳ３８に進む。なお、ここで停止状態とは、モータ４２の回転が停止し、ストッパーソレノイド４６が励磁されていない状態（即ち、賞球排出を停止している状態）をいう。
次に、ステップＳ３２では、ＲＡＭ２１３内に設けられた目標値カウンタ２１３ｂ（図２に示す）の残数が無しか否か（即ち、値が賞球数１個分未満か否か）判定し、無ければステップＳ３３に進み、有ればステップＳ４１に進む。
そして、ステップＳ４１では、異常を報知する信号の出力等を行う。このステップＳ４１に処理が進むのは、払出ユニット１５ａが賞球排出を停止しているのに、賞球排出の目標値が設定される目標値カウンタ２１３ｂに残数があるという異常な状態であるので、このような処理がなされる。なおこの処理は、賞球排出の正常性をより念を入れて監視するための処理であり、必ずしも設ける必要はない。例えば、このステップＳ４１の代わりに、後述するステップＳ８２（図８）と同様のステップを設けてもよい。
このステップＳ４１を経ると、１シーケンスの処理を終了する。
【００３３】
一方、ステップＳ３３では、払出実行残カウンタ２１３ａに残数が有るか否か判定し、無ければ１シーケンスの処理を終了し、有ればステップＳ３４に進む。
次に、ステップＳ３４では、遊技制御装置１００から送信されている賞球制御情報の中の排出条件の情報（図２では、球無し発生／解除コマンド、オーバーフロー発生／解除コマンドと称されているもの）を読み取り、排出条件が成立しているか否か（賞球の払出が許可されているか否か）を判定し、許可されてなければ１シーケンスの処理を終了し、許可されていればステップＳ３５に進む。
次いで、ステップＳ３５では、賞球排出の目標賞球数である払出目標値を決定し、この値を目標値カウンタ２１３ｂに設定する。払出目標値の決定は、例えば、次のようにして行う。即ち、払出実行残カウンタ２１３ａの残数（払出実行値）の値が、排出ユニット１５の最大排出球数（例えば、１５個）を越えている場合には、この最大排出球数の値とし、この最大排出球数以下である場合には、その残数の値とする。つまり、最大排出球数の範囲内でなるべく大きな値とする。このようにすれば、１回の賞球排出で最も多くの賞球が排出でき、賞球排出の高速化に寄与できるからである。
なおここで、排出ユニット１５の最大排出球数とは、半端センサ１４が検出信号を出力している際に前述の誘導路内に保有されていると推定される遊技球の最低数などから決定される値であり、機種毎に当然異なる。
【００３４】
次に、ステップＳ３６では、排出ユニット１５の流路切換弁用ソレノイド３５を必要に応じて作動させて、賞球流路３２を遊技球が通過する状態に設定する。
次に、ステップＳ３７では、球払出手段４０のストッパーソレノイド４６を作動させて停止部材４５の係合状態を解除した状態で、目標値カウンタ２１３ｂに設定された払出目標値分の賞球数に対応する回転角又は回転量だけパルスモータ４２を作動させる制御を開始する。
次いで、ステップＳ３８では、賞球検出センサ５０ａの検出信号を読み取り賞球が検出されたか否か判定し、検出されればステップＳ３９に進み、されなければ１シーケンスの処理を終了する。
そして、ステップＳ３９とその後のステップＳ４０では、検出された賞球数分（通常は、１個宛検出される）だけ払出実行残カウンタ２１３ａや目標値カウンタ２１３ｂのデータを減算する。
ステップＳ４０を経ると、１シーケンスの処理を終了する。
なお本形態例では、払出実行残カウンタ２１３ａのデータがゼロになっている場合には、たとえ上記ステップＳ３９に処理が進んで減算すべき賞球数が存在していても、払出実行残カウンタ２１３ａのデータをその分マイナス値として設定することはしない（即ち、この場合には、ゼロのまま留める）。但し、変形例としては、過剰排出分をマイナス値として記憶可能で、その分がその後の入賞分から差し引かれて調整されるような態様もあり得る。
【００３５】
以上の処理によれば、図２に示す如く、目標値カウンタ２１３ｂに残数がない状態（排出ユニット１５は停止状態）で、払出実行残カウンタ２１３ａに残数が生じると（賞球数情報が存在すると）、排出条件が成立していることを前提として、目標値カウンタ２１３ｂにそれに応じた所定の払出目標値が設定され、この払出目標値分の賞球を排出する排出ユニット１５の一回の賞球排出動作が開始される（ステップＳ３１〜Ｓ３７）。そして、排出ユニット１５の作動中（賞球排出動作中）には、ステップＳ３１の判定が常に否定的になり、ステップＳ３８の処理が繰り返されて、賞球が検出される毎に、ステップＳ３９，Ｓ４０の処理でその賞球数分の値が払出実行残カウンタ２１３ａ（払出実行値記憶手段）や目標値カウンタ２１３ｂから順次減算される。次いで、排出ユニット１５が停止すると、ステップＳ３２以降が再び実行されるようになり、払出実行残カウンタ２１３ａに残数が生じる度に（残数が存在する限り）、以上の動作が繰り返される。
なお、排出ユニット１５が賞球排出を停止しているのに、目標値カウンタ２１３ｂに残数があると、前述したように異常報知が行われる（ステップＳ４１）。
【００３６】
以上説明した本形態例の遊技機であると、次のような効果がある。
（１）本形態例では、未排出の賞球数のデータが、遊技制御装置１００及び排出制御装置２００の両方に記憶されており、しかもこれらデータは、ほぼ常に同じ数値になるように管理される。即ち、遊技制御装置１００の払出要求残カウンタ１１３ａ（払出要求値記憶手段）と、排出制御装置２００の払出実行残カウンタ２１３ａ（払出実行値記憶手段）とには、払出要求値又は払出実行値として、ほぼ常に賞球数情報の同じデータが記憶される。なぜなら、排出制御装置２００には、遊技制御装置１００の送信機能（賞球数情報送信手段）によって、払出要求残カウンタ１１３ａ（払出要求値記憶手段）に加算されるものと同じ賞球数情報がこの加算処理とほぼ同時に送信され、排出制御装置２００の加算機能（払出実行値加算手段）によって即座に払出実行残カウンタ２１３ａ（払出実行値記憶手段）にも加算される。また、賞球検出センサ５０ａ（排出球検出手段）によって賞球が検出されると、遊技制御装置の減算機能（払出要求値減算手段）と排出制御装置２００の減算機能（払出実行値減算手段）とによって、その分の賞球数情報のデータが各カウンタ１１３ａ，２１３ａからそれぞれほぼ同時に減算されるからである。
このため、まんがいち一方のカウンタ（記憶手段）について故障があった場合（例えば停電等により一方のデータが壊れた場合）にも、未排出の賞球数のデータを他方のカウンタによって確認し、その未排出分の賞球排出（例えば、停電後の補足的賞球排出）が確実に可能となる。また、各カウンタ（各記憶手段）のデータを例えば遊技店の係員が適宜読み取って比較することにより（例えば管理装置のモニターにこれらデータを表示して見ることができるようにしてもよい）、各データが一致していることを確認することで、未排出の賞球数のデータが適正に記憶保持されていること（或いは、不正なデータの書き込み等が行われていないこと）を、容易に監視できる。したがって、未排出の賞球数データの記憶管理が、より制御処理が簡単で信頼度の高いものとなる。
【００３７】
（２）また本形態例では、上述したステップＳ１１，Ｓ１６の処理（本発明の賞球排出監視手段の機能に相当）によって、払出要求残カウンタ１１３ａの値（払出要求値記憶手段の記憶値）が帰零した時点で、賞球検出センサ５０ａ（前記排出球検出手段）による賞球の検出が無くなれば、賞球排出が正常終了したと判定する。このため、賞球排出の正常終了の監視が、簡単な処理で容易に、しかも信頼性高く実現できる。
（３）また本形態例では、一つの排出ユニット１５の一つの球排払出手段４０が、排出制御装置（払出実行制御手段）の制御で、賞球排出を実行可能であるとともに、貸球の排出をも実行可能である。このため、装置構成が簡素化され、コスト低減が図れる効果もある。
（４）また本形態例では、排出制御装置２００のステップＳ３２の処理機能によって、払出目標値を順次設定して球払出手段４０を順次複数回作動させる必要がある場合でも、払出目標値分だけの賞球排出が行われたことが、目標値カウンタ２１３ｂの記憶値の変化により確認されるまで、次の払出目標値分の賞球排出のための球払出手段４０の動作を開始しない。このため、払出目標値分毎に賞球排出が正確に行われるようになり、賞球排出の信頼性が著しく高まる。
但し、賞球排出数は全体として適正であれば実用上問題なく、必要十分な信頼性を確保しつつより高速化するという観点からは、後述する第２形態例のように、払出目標値分の賞球排出をいちいち確認しない構成が好ましい。
（５）さらに本形態例では、停電時に、各カウンタ１１３ａ，２１３ａの値（払出要求値記憶手段及び払出実行値記憶手段の両方の記憶内容）が保持されるべく、ＲＡＭ１１３，２１３（払出要求値記憶手段及び払出実行値記憶手段）の両方にバックアップ電源を供給可能なコンデンサ１５６（バックアップ電源手段）が設けられている。このため、停電時においても、未払の賞球数データが、二つの別個の記憶手段により記憶保持されるため、停電復帰後にその未払の賞球を排出することが、極めて高い信頼度で確実に実行できる。したがって、停電による賞球数情報のデータ消失によって、遊技者に不利益をもたらしたり、遊技者と遊技店間でトラブルを生じたりする事態を、極めて高い信頼度で防止できる。
【００３８】
（第２形態例）
次に、第２形態例を説明する。
なお、本形態例及び以下の形態例は、賞球排出に関連する制御処理内容に特徴を有し、他の構成は第１形態例と同じであるので、重複する説明は省略する。
但し、第１形態例（及び、後述する第３形態例，第４形態例）では、遊技制御装置１００と排出制御装置２００の間の通信としては、遊技制御装置１００から排出制御装置２００への一方向の通信（単方向通信）のみが行われる構成であるが、この第２形態例では、排出制御装置２００から遊技制御装置１００への通信も行われる構成（双方向通信が可能な構成）となっている。この場合具体的には、図示省略しているが、排出制御装置２００から、ＲＡＭ２１３のデータ（特に、図２に示す払出実行残カウンタ２１３ａのデータ）が、遊技制御装置１００へ逐次送信される構成になっている。
図１０は、この第２形態例の賞球排出関連の制御処理のうち遊技制御装置１００による賞球払出監視制御の処理を示すフローチャートである。
本形態例は、上述した双方向通信が可能な構成とするとともに、第１形態例における図３（ｂ）の処理を図１０の如く変更したもの（すなわち、ステップＳ１４，Ｓ１５，Ｓ１９を追加したもの）であり、賞球排出に関連する他の制御処理は、第１形態例と同じである。
以下、賞球排出関連の制御処理の変更箇所（追加したステップ等）について説明する。
【００３９】
ステップＳ１４では、払出要求残カウンタ１１３ａに残数が無いか否か（即ち、値が賞球数１個分未満か否か）判定し、無ければステップＳ１５に進み、有れば１シーケンスの処理を終了する。なお、このステップＳ１４に処理が進むのは、賞球検出が適正になされて払出要求残カウンタ１１３ａ（払出要求値記憶手段）の減算も適正になされた場合であるので、払出要求残カウンタ１１３ａに残数がある以上、正常として異常判定は行わない。
【００４０】
そして、ステップＳ１５では、払出要求残カウンタ１１３ａに残数が無くなっている場合であるので、さらに、排出制御装置２００の賞球数情報（払出実行値）の記憶手段であるＲＡＭ２１３内の払出実行残カウンタ２１３ａの値を読み取り、このカウンタの残数もやはり無しになっているか否か判定する。本形態例の場合、排出制御装置２００の払出実行残カウンタ２１３ａの値は、遊技制御装置１００の払出要求残カウンタ１１３ａと同じデータ（即ち、賞球数情報のデータ）を記憶するものであり、この払出実行残カウンタ２１３ａの値も前述したステップＳ３９（図４）の処理で賞球検出に応じて、ほぼ同時に減算される。このため、この判定が否定的になる場合（払出要求残カウンタ１１３ａの残数が無いのに払出実行残カウンタ２１３ａの残数が有る場合）には、なんらかの異常が起きていると判定され、ステップＳ１９に進んで、この異常を報知するための信号の出力や表示がなされる。ステップＳ１９を経ると、１シーケンスの処理を終了する。
【００４１】
次に、ステップＳ１６では、前述したように、賞球検出の有無に基づく異常判定を行う。この場合、ステップＳ１６に処理が進むのは、上述した両方のカウンタ１１３ａ及び２１３ａの残数が共に無しになっているので、いちおう賞球排出が正常に終了したと推定される。しかし、このような状態にもかかわらず、まんがいち賞球検出がなされている場合には、異常又は不正な賞球排出が実行されていると判断されるので、例えば第１形態例（図３（ｂ））の説明で既述したように、それを判定する。例えば、賞球検出センサ５０ａの検出信号を読み取り賞球が検出されたか否か判定し、検出されれば（或いは検出数の累積が例えば１６個以上になると）ステップＳ２０に進んで異常出力（例えば、前述したように過剰賞球排出エラーとして警告ランプ等を点灯させる処理）を行い、検出されなければ、完全に正常であるとして、１シーケンスの処理を終了する。
以上の処理によれば、一方のカウンタ１１３ａ（払出要求値記憶手段）の残数が無くなったのに、他方のカウンタ２１３ａ（払出要求値記憶手段）に残数があるという異常状態が、ステップＳ１４，Ｓ１５で判定された場合にも、異常報知の出力が実行される（ステップＳ１９）。さらに、両方のカウンタ１１３ａ及び２１３ａに残数がないのに賞球検出がなされていると、場合によっては異常報知の出力が実行される（ステップＳ１６，Ｓ２０）。
【００４２】
そして、正常に賞球検出が実行され、払出要求残カウンタ１１３ａのデータが減算されている過程（払出要求残カウンタ１１３ａの残数が有る状態）では、ステップＳ１４の判定が否定的となり、異常出力はなされない（即ち、正常として処理が続行される）。また、両方のカウンタ１１３ａ及び２１３ａに残数が共に無くなり、賞球検出が無くなった場合にも、ステップＳ１６の判定が否定的となり、異常出力はなされない（即ち、正常として処理が続行される）。なお、両方のカウンタ１１３ａ及び２１３ａに残数が共に無くなった後には、ステップＳ１１の判定が否定的になり、ステップＳ１２〜Ｓ１４をとばして、さらにステップＳ１５，Ｓ１６を経て１シーケンスが終了し、ステップＳ１６の処理で異常と判定されない限り、実質的にはなにも実行されない。そして、この状態は前述したステップＳ３（入賞による払出要求残カウンタ１１３ａへの加算）が実行されるまで続く。
【００４３】
本形態例によれば、次のような特有の作用効果がある。
即ち、各カウンタ（各記憶手段）のデータを比較して、各データが一致していることを、遊技制御装置１００の上述した簡単な処理（ステップＳ１４，Ｓ１５）で逐次確認することで、未排出の賞球数のデータが適正に記憶保持されていること（或いは、不正なデータの書き込み等が行われていないこと）の監視を、人為的作業を必要としない自動処理として極めて容易かつ定常的に実現できる。
また本形態例では、上述したステップＳ１４〜Ｓ１６の処理（本発明の賞球排出監視手段の機能に相当）によって、各カウンタ１１３ａ，２１３ａの値（払出要求値記憶手段及び前記払出実行値記憶手段の記憶値）が帰零した時点で、賞球検出センサ５０ａ（前記排出球検出手段）による賞球の検出が無くなれば、賞球排出が正常終了したと判定する。このため、賞球排出の正常終了の監視が、簡単な処理で容易に、しかも極めて信頼性高く実現できる。
なお、上述のステップＳ１４，Ｓ１５，Ｓ１９の監視処理は、排出制御装置２００の側で行ってもよいし、管理装置で行うようにしてもよい。
【００４４】
（第３形態例）
次に、第３形態例を説明する。
図５は、この第３形態例の賞球排出関連の制御処理の主な流れを示す図である。
（ａ）払出実行値記憶手段の構成
まず、払出実行値記憶手段の構成について説明する。この場合の払出実行値記憶手段も、やはりＲＡＭ２１３内に形成された払出実行残カウンタ２１３ａであるが、この場合の払出実行残カウンタ２１３ａは、図５に示すように、遊技制御装置１００から送信される賞球数情報が累積加算される未実行カウンタと、この未実行カウンタの値が逐次移行されるとともに、賞球検出に基づく減算が行われる実行カウンタとに分割されている。なお、未実行カウンタと実行カウンタの値の合計が、払出実行残カウンタ２１３ａの値（未払の賞球数情報である払出実行値）となっている。
なお本形態例では、払出実行残カウンタ２１３ａの実行カウンタのデータがゼロになっている場合には、たとえ後述のステップＳ６２（図６（ｂ））に処理が進んで減算すべき賞球数が存在していても、払出実行残カウンタ２１３ａのデータをその分マイナス値として設定することはしない（即ち、この場合には、ゼロのまま留める）。
但し、変形例としては、過剰排出分をマイナス値として記憶可能で、その分がその後の排出分から差し引かれて調整されるような態様もあり得る。即ち、実行カウンタの値は、排出し過ぎの場合も考慮して、マイナスの値も記憶可能としてもよい。このようにしておくと、一回の賞球排出動作で払出目標値を越える賞球排出がなされた場合にも、次回、未実行カウンタから移行（この場合加算）される値からその分が差し引かれるので、全体として賞球排出数が適正なものに調整される。
【００４５】
（ｂ）排出制御装置の賞球払出制御
次に、排出制御装置２００の賞球払出制御を、図６（ａ）のフローチャートにより説明する。なおこの処理は、例えば、排出制御装置２００のメイン制御処理におけるサブルーチンとして、基準時間毎に１シーケンスずつ、繰り返し行われる。
処理が開始されると、ステップＳ５１で、図４のステップＳ３１と同様に、排出ユニット１５が停止状態か否か判定し、停止状態ならばステップＳ５２に進み、作動中ならば１シーケンスの処理を終了する。つまり、賞球排出中ならば、なんらの監視処理も行わないで、その状態を継続し、１回の賞球排出が終了した時点で次のステップＳ５２以降の処理を実行する。
そして、ステップＳ５２では、ＲＡＭ２１３内に設けられた前述の払出実行残カウンタ２１３ａの残数（図５に示す未実行カウンタと実行カウンタの合計値の残数）が有るか否か（即ち、値が賞球数１個分以上か否か）判定し、有ればステップＳ５３に進み、無ければ１シーケンスの処理を終了する。即ち、払出実行残カウンタ２１３ａ（未実行カウンタと実行カウンタの両方）に残数が無ければ、賞球排出は全く不要であるので、払出実行残カウンタ２１３ａに値が加算されるまで賞球排出動作を停止した状態に維持する。
【００４６】
一方、ステップＳ５３では、払出実行残カウンタ２１３ａのうちの未実行カウンタに残数が有るか否か判定し、有ればステップＳ５４に進み、無ければステップＳ５５に進む。
次に、ステップＳ５４では、払出実行残カウンタ２１３ａのうちの未実行カウンタのデータを、全て実行カウンタに移行する。即ち、未実行カウンタのデータを全て減算（消去）し、その分を全て実行カウンタに加算する。この場合、実行カウンタの値がマイナス値である場合には、未実行カウンタの値からこのマイナス値が差し引かれた結果が、実行カウンタに設定される。
次いで、ステップＳ５５では、遊技制御装置１００から送信されている排出条件の情報（図５では、球無し発生／解除コマンド、オーバーフロー発生／解除コマンドと称されている）を読み取り、この排出条件が成立しているか否か（賞球の払出が許可されているか否か）を判定し、許可されてなければ１シーケンスの処理を終了し、許可されていればステップＳ５６に進む。
次いで、ステップＳ５６では、賞球排出の目標賞球数である払出目標値を決定する。払出目標値の決定は、前述の第１形態例のステップＳ３５（図４）と同様に、その時点での実行カウンタの値に応じて行う。
【００４７】
次に、ステップＳ５７では、排出ユニット１５の賞球流路３２を排出された遊技球が通過する状態に設定し、その後のステップＳ３８では、球払出手段４０のストッパーソレノイド４６を作動させて停止部材４５の係合状態を解除した状態で、ステップＳ５６で決定された払出目標値分の賞球数に対応する回転角又は回転量だけパルスモータ４２を作動させる排出動作の制御を開始する。
ステップＳ５６を経ると、１シーケンスの処理を終了する。
【００４８】
（ｃ）排出制御装置の賞球払出実行カウンタ制御
次に、排出制御装置２００の賞球払出実行カウンタ制御を、図６（ｂ）のフローチャートにより説明する。なおこの処理も、例えば、排出制御装置２００のメイン制御処理におけるサブルーチンとして、基準時間毎に１シーケンスずつ、繰り返し行われる。
処理が開始されると、ステップＳ６１では、賞球検出センサ５０ａの検出信号を読み取り賞球が検出されたか否か判定し、検出されればステップＳ６２に進み、されなければ１シーケンスの処理を終了する。
そして、ステップＳ６２では、検出された賞球数分だけ払出実行残カウンタ２１３ａの実行カウンタのデータを減算する。
ステップＳ６２を経ると、１シーケンスの処理を終了する。
【００４９】
以上の図６（ａ），（ｂ）の処理によれば、図５に示す如く、払出実行残カウンタ２１３ａ（未実行カウンタ及び実行カウンタ）に残数が無い状態（排出ユニット１５が停止状態）で、払出実行残カウンタ２１３ａ（即ち、その中の未実行カウンタ）に残数が生じると（賞球数情報が加算されると）、払出実行残カウンタ２１３ａ中の実行カウンタに未実行カウンタの値がそっくり移動され、さらに排出条件が成立していることを前提として、その未実行カウンタの値に応じた所定の払出目標値が決定され、この払出目標値分の賞球を排出する排出ユニット１５の一回の賞球排出動作が開始される（ステップＳ５１〜Ｓ５８）。
そして、排出ユニット１５の作動中（賞球排出動作中）には、ステップＳ５１の判定が常に否定的になり、その賞球排出動作が継続される。
一方、こうして賞球排出動作が実行され、賞球検出センサ５０ａにより順次賞球が検出されると、ステップＳ６１，６２の処理が繰り返されて、賞球が検出される毎に、その賞球数分の値が払出実行残カウンタ２１３ａの実行カウンタから順次減算される。
次いで、排出ユニット１５が停止すると、ステップＳ５２以降が再び実行されるようになり、払出実行残カウンタ２１３ａに残数が生じる度に、以上の動作が繰り返される。
【００５０】
なおこの場合、排出ユニット１５が賞球排出を停止しているのに、払出実行残カウンタ２１３ａの実行カウンタに残数がある場合にも、ステップＳ５２の判定は肯定的になり、ステップＳ５５以降の処理が実行されて、再度払出目標値が決定されて賞球排出動作が途切れることなく、ほぼ連続的に実行される。つまり、本形態例では、一回の賞球排出動作毎に、所定の払出目標値の排出を達成したか否かをいちいち監視しない構成（前述の図４（ｂ）のステップＳ３２のような判定処理がない構成）であり、払出実行残カウンタ２１３ａ（未実行カウンタ又は実行カウンタ）に残数が有る限り、必要に応じて未実行カウンタから実行カウンタへのデータの移行が行われて、順次払出目標値が決定され複数回の賞球排出動作が連続的に実行される。
このため、前述した第１形態例の効果に加えて（厳密には、前述の（４）の効果に代えて）、次のような効果がある。
（６）即ち、払出目標値を順次設定し球払出手段４０を順次複数回作動させる必要がある場合でも、払出目標値分だけの賞球排出が行われたことを途中で確認することなく、次の払出目標値分の賞球排出のための球払出手段４０の動作を前回の動作に連続させて実行する構成であるため、制御処理が簡素化されて制御系の負荷も減る。また、多数の入賞が同時期にあったときの多量の賞球排出が大幅に高速化される。しかもこの場合でも、本形態例の処理（図６（ａ）のステップＳ５２や、図３（ｂ）のステップＳ１１，Ｓ１６）のように、最終的に全ての賞球数情報分に対する賞球排出が終了したことを、連続的な賞球排出動作の最後に確認すれば、賞球排出の正常性の監視が十分に実現できる。
【００５１】
（第４形態例）
次に、第４形態例を説明する。
なお図７は、この第４形態例の賞球排出関連の制御処理の主な流れを示す図である。
（ａ）払出実行値記憶手段の構成
まず、払出実行値記憶手段の構成について説明する。この場合の払出実行値記憶手段は、ＲＡＭ２１３内に形成された払出実行残カウンタ２１３ａと、目標値カウンタ２１３ｂとによって構成されている。この場合の払出実行残カウンタ２１３ａは、図７に示すように、遊技制御装置１００から送信される賞球数情報が累積加算されるカウンタであり、一方、目標値カウンタ２１３ｂは、賞球検出に応じた減算が行われるカウンタである。そして、払出実行残カウンタ２１３ａのデータは、払出目標値を設定する毎に目標値カウンタ２１３ｂに移行され、結局、払出実行残カウンタ２１３ａと目標値カウンタ２１３ｂの値の合計が、払出実行値記憶手段全体の値（未払の賞球数情報である払出実行値）となっている。
なお本形態例では、目標値カウンタ２１３ｂのデータがゼロになっている場合には、たとえ後述のステップＳ８１（図８）に処理が進んで減算すべき賞球数が存在していても、払出実行残カウンタ２１３ａのデータをその分マイナス値として設定することはしない（即ち、この場合には、ゼロのまま留める）。
但し、変形例としては、過剰排出分をマイナス値として記憶可能で、その分がその後の排出分から差し引かれて調整されるような態様もあり得る。即ち、目標値カウンタ２１３ｂの値は、排出し過ぎの場合も考慮して、マイナスの値も記憶可能としてもよい。このようにしておくと、一回の賞球排出動作で払出目標値を越える賞球排出がなされた場合にも、次回、未実行カウンタから移行（この場合加算）される値からその分が差し引かれるので、全体として賞球排出数が適正なものに調整される。
【００５２】
（ｂ）排出制御装置の賞球払出制御
次に、排出制御装置２００の賞球払出制御を、図８のフローチャートにより説明する。なおこの処理も、例えば、排出制御装置２００のメイン制御処理におけるサブルーチンとして、基準時間毎に１シーケンスずつ、繰り返し行われる。
処理が開始されると、ステップＳ７１で、前述の図４（ｂ）のステップＳ３１と同様に、排出ユニット１５が停止状態か否か判定し、停止状態ならばステップＳ７２に進み、作動中ならばステップＳ８０に進む。
次に、ステップＳ７２〜Ｓ７４では、前述の図４（ｂ）のステップＳ３２〜Ｓ３４と同様の処理を行う。但し、ステップＳ７２の判定結果が否定的になった場合（目標値カウンタ２１３ｂに残数がある場合）には、ステップＳ８２に進み、目標値カウンタ２１３ｂの残数分だけの賞球排出を実行すべく、その残数分を払出目標値として排出ユニット１５の作動させる。つまり、一回の賞球排出動作でその際の払出目標値が未達成（賞球排出数不足）の場合にも、図４のステップＳ４１のような異常処理（賞球排出動作の中断）がなされず、その不足分に応じた賞球排出動作が追加的かつ継続的に実行される。
【００５３】
次いで、ステップＳ７５では、賞球排出の目標賞球数である払出目標値を決定する。払出目標値の決定は、前述の図４（ｂ）のステップＳ３５と同様の考え方で、払出実行残カウンタ２１３ａの残数に応じて行う。
次に、ステップＳ７６では、払出実行残カウンタ２１３ａから決定した払出目標値を減算し、さらにステップＳ７７で、この払出目標値を目標値カウンタ２１３ｂに更新設定（目標値カウンタ２１３ｂにマイナスの値が有る場合には、このマイナス値を払出目標値から差し引いた値に設定）する。
次いで、ステップＳ７８，Ｓ７９では、前述の図４（ｂ）のステップＳ３６，Ｓ３７と同様の処理を行って、決定された払出目標値分の賞球数を排出するための排出ユニット１５の動作を開始させる。
次いで、ステップＳ８０では、賞球検出センサ５０ａの検出信号を読み取り賞球が検出されたか否か判定し、検出されればステップＳ８１に進み、されなければ１シーケンスの処理を終了する。
そして、ステップＳ８１では、検出された賞球数分だけ目標値カウンタ２１３ｂのデータを減算する。
ステップＳ８１を経ると、１シーケンスの処理を終了する。
【００５４】
以上の図８の処理によれば、図７に示す如く、目標値カウンタ２１３ｂに残数がない状態（排出ユニット１５は停止状態）で、払出実行残カウンタ２１３ａに残数が生じると（賞球数情報が存在すると）、排出条件が成立していることを前提として、目標値カウンタ２１３ｂにそれに応じた所定の払出目標値が設定され、この払出目標値分の賞球を排出する排出ユニット１５の一回の賞球排出動作が開始される（ステップＳ７１〜Ｓ７９）。そして、排出ユニット１５の作動中（賞球排出動作中）には、ステップＳ７１の判定が常に否定的になり、ステップＳ８０の処理が繰り返されて、賞球が検出される毎に、ステップＳ８１の処理でその賞球数分の値が目標値カウンタ２１３ｂから順次減算される。次いで、排出ユニット１５が停止すると、ステップＳ７２以降が再び実行されるようになり、払出実行残カウンタ２１３ａに残数が生じる度に（残数が存在する限り）、以上の動作が繰り返される。
【００５５】
なおこの場合には、前述したように、排出ユニット１５が賞球排出を停止しているのに、目標値カウンタ２１３ｂに残数があっても、異常報知などの処理は行われず、その残数分の賞球排出動作が追加的かつ継続的に行われる（ステップＳ８２）。
このため、前述した第１形態例の効果に加えて、次のような効果がある。
（７）即ち、払出目標値を順次設定し球払出手段４０を順次複数回作動させる必要がある場合には、払出目標値分だけの賞球排出が行われたことを途中で逐次確認する構成であるが（即ち、ステップＳ７２がある構成であるが）、この際払出目標値分だけの賞球排出が未達成でも賞球排出が中断しないため、第１形態例の構成に比較すれば、一回の賞球排出結果（払出目標値達成又は未達成）に無関係に相当の高速排出が可能となる。
【００５６】
なお、本発明は上記形態例の態様に限られず、各種の変形，応用があり得る。  例えば、前述したように、図３（ｂ）や図１０のステップＳ１７，Ｓ１８やステップＳ１４〜Ｓ１６，Ｓ１９，Ｓ２０の処理は、賞球排出の正常性をより念を入れて監視するための処理であり、必ずしも設ける必要はない。また、これらの監視処理は、排出制御装置２００の側で行ってもよいし、管理装置で行うようにしてもよい。また、このような監視（例えば、両方のカウンタ１１３ａ及び２１３ａの残数の一致の確認や、両方のカウンタ１１３ａ及び２１３ａに残数がないのに賞球検出がなされていることの確認）は、例えば管理装置のモニターの表示によってこれらデータを見ることができる管理者によって実行されてもよい。
また、図４（ｂ）のステップＳ３２，Ｓ４１や図８のステップＳ７２，Ｓ８２などの処理は、必ずしも設ける必要はなく、場合によっては削除してもよい。即ち、排出ユニット１５等の動作信頼性が高ければ、排出ユニット１５の動作が終了しているとき（ステップＳ３１又はＳ７１の判定が肯定的になるとき）には、目標値カウンタ２１３ｂの値は、当然に又は確実に残数無し（零）になっているからである。
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５７】
【図１】パチンコ機の制御系を示すブロック図である。
【図２】賞球排出関連の動作を説明する図である。
【図３】遊技制御装置の賞球排出関連処理を示すフローチャートである。
【図４】排出制御装置の賞球排出関連処理を示すフローチャートである。
【図５】賞球排出関連の動作（第３形態例）を説明する図である。
【図６】賞球排出関連処理（第３形態例）を示すフローチャートである。
【図７】賞球排出関連の動作（第４形態例）を説明する図である。
【図８】賞球排出関連処理（第４形態例）を示すフローチャートである。
【図９】排出ユニットの構造を示す断面図である。
【図１０】賞球排出関連処理（第２形態例）を示すフローチャートである。
【符号の説明】
【００５８】
１  パチンコ機（遊技機）
１５  排出ユニット
３０  遊技球流路
３１  分岐部
３２  賞球流路
３３  貸球流路
３４  流路切換弁（流路切換手段）
４０  球払出手段
５０  排出球検出手段
５０ａ  賞球検出センサ（賞球検出手段）
５０ｂ  貸球検出センサ
５１  特図始動センサ（入賞球検出手段）
５２  普図始動ゲートセンサ（入賞球検出手段）
５３  継続センサ（入賞球検出手段）
５４  カウントセンサ（入賞球検出手段）
１００  遊技制御装置
１１０  遊技用マイクロコンピュータ（賞球情報送信手段、払出要求値加算手          段、払出要求値減算手段、賞球排出監視手段）
１１３  ＲＡＭ（払出要求値記憶手段）
２００  排出制御装置
２１０  マイクロコンピュータ（払出実行制御手段、払出実行値加算手段、払          出実行値減算手段、賞球排出監視手段）
２１３  ＲＡＭ（払出実行値記憶手段）
２１２  コンデンサ（バックアップ電源手段）
Ａ１〜ＡＮ  入賞センサ（入賞球検出手段）
【図１】
2008259894.tif 000003
【図２】
2008259894.tif 000004
【図３】
2008259894.tif 000005
【図４】
2008259894.tif 000006
【図５】
2008259894.tif 000007
【図６】
2008259894.tif 000008
【図７】
2008259894.tif 000009
【図８】
2008259894.tif 000010
【図９】
2008259894.tif 000011
【図１０】
2008259894.tif 000012